(57)【要約】【課題】使用済み粘着シートの廃棄の際に手を汚すことがなく、常に清潔な状態で保管することのできる掃除具を提供する。【解決手段】掃除具１０は、把持部１１を有する保持部材１２の支軸１６に回転自在に軸支された掃除ローラ１３と、粘着面１４ａを露出させた状態で掃除ローラ１３の外周面に円筒状に巻き付けられた粘着シート１４と、を備え、掃除ローラ１３にその外径を縮径・復元可能な拡縮機構１５が設けられている。粘着シート予備手段として、粘着シート１４が巻回された円筒状の予備ローラ１７が保持部材１２の支軸１８に回転自在に軸支されている。また、予備ローラ１７と掃除ローラ１３との間には、予備ローラ１７から掃除ローラ１３へ供給される粘着シート１４を誘導するためのガイド部材１９と、ガイド部材１９上の粘着シート１４を切断するための切断手段４３と、が設けられている。【選択図】図１
2010201032.tif 000002
【特許請求の範囲】
【請求項１】
把持部を有する保持部材に回転自在に軸支された掃除ローラと、粘着面を露出させた状態で前記掃除ローラの外周面に円筒状に巻き付けられた粘着シートと、を備え、前記掃除ローラにその外径を縮径・復元可能な拡縮機構を設けたことを特徴とする掃除具。
【請求項２】
未使用の粘着シートが前記掃除ローラへ供給可能な状態で収納された粘着シート予備手段を設けた請求項１記載の掃除具。
【請求項３】
前記粘着シート予備手段として、未使用の粘着シートが巻回された円筒状の予備ローラを設けた請求項２記載の掃除具。
【請求項４】
前記粘着シート予備手段から前記掃除ローラへ供給される粘着シートを切断する切断手段を設けた請求項２または３記載の掃除具。
【請求項５】
粘着面を露出させた状態で前記掃除ローラの外周面に円筒状に巻き付けられた粘着シートを前記掃除ローラに着脱可能に固定する係止手段を設けた請求項１〜４のいずれかに記載の掃除具。
【発明の詳細な説明】
【技術分野】
【０００１】
本発明は、外周面に粘着シートが巻き付けられた回転自在なローラを備えた掃除具に関する。
【背景技術】
【０００２】
カーペットやソファーなどの表面の塵埃や毛髪などを効率良く除去することのできる掃除道具として、従来、様々な種類の粘着ローラ式の掃除具が提案されている（例えば、特許文献１〜３参照。）。
【０００３】
【特許文献１】特開平８−６６３５０号公報
【特許文献２】特開平９−９４２１３号公報
【特許文献３】特開平７−２２２７０９号公報
【発明の開示】
【発明が解決しようとする課題】
【０００４】
特許文献１記載の掃除具は、粘着ロール紙の表面に斜線状の切り込み線を刻み込むことにより、使用済み粘着ロール紙を簡単に捲り取ることができるように構成されているが、使用済み粘着ロール紙を捲り取る際に、粘着ロール紙に付着している塵埃や毛髪などによって手を汚すことがある。また、粘着ロールに長い毛髪などが付着すると、切り込み線でのカット作業が困難となる。
【０００５】
特許文献２記載の剥離除去具は、ゴミなどの塵埃が付着した使用済のロール状の粘着紙を、手を汚さずに剥離除去することができる道具であるが、使い方が面倒である。また、剥離除去作業の度に使用済粘着紙に剥離除去具が接触するので、剥離除去具自体が汚れていくのを回避することができない。
【０００６】
特許文献３記載のゴミ取り装置は、粘着力の低下した粘着テープは巻き取りローラに巻き取られるため、使用済みの粘着テープを切り離す必要がなく、手を汚すこともない点において優れている。しかしながら、このゴミ取り装置は、使用後、塵埃や毛髪などが付着した粘着テープが巻き取りローラに巻き取られたままで収納されることが多いので、時間の経過に伴って不衛生な状態となる。
【０００７】
本発明が解決しようとする課題は、使用済み粘着シートの廃棄の際に手を汚すことがなく、常に清潔な状態で保管することができる掃除具を提供することにある。
【課題を解決するための手段】
【０００８】
本発明の掃除具は、把持部を有する保持部材に回転自在に軸支された掃除ローラと、粘着面を露出させた状態で前記掃除ローラの外周面に円筒状に巻き付けられた粘着シートと、を備え、前記掃除ローラにその外径を縮径・復元可能な拡縮機構を設けたことを特徴とする。
【０００９】
このような構成とすれば、掃除ローラの外周面に円筒状に巻き付けられた粘着シートが汚れたとき、拡縮機構を用いて掃除ローラの外径を縮径させれば、粘着シートの内周面と掃除ローラの外周面との間に隙間が生じるため、掃除ローラの端部を下に向けるだけで汚れた粘着シートは自重により掃除ローラから軸心方向に沿って落下する。従って、汚れた粘着シートに手を触れる必要がなく、使用済み粘着シートの廃棄の際に手を汚すことがない。また、汚れた粘着シートは、その都度廃棄することができるため、常に清潔な状態で当該掃除具を保管することができる。
【００１０】
ここで、未使用の粘着シートが前記掃除ローラへ供給可能な状態で収納された粘着シート予備手段を設ければ、使用済み粘着シートを破棄した後、粘着シート予備手段から供給される新たな粘着シートを掃除ローラに巻き付けることが可能となるため、粘着シートの取り替え作業が容易となる。
【００１１】
この場合、前記粘着シート予備手段として、未使用の粘着シートが巻回された円筒状の予備ローラを設ければ、予備ローラから供給される新たな粘着シートを連続的に掃除ローラに巻き付けることが可能となるため、粘着シートの取り替え作業がさらに容易となる。
【００１２】
また、前記粘着シート予備手段から前記掃除ローラへ供給される粘着シートを切断する切断手段を設ければ、新たな粘着シートを任意の位置で切断することが可能となるため、取り替え作業を効率化することができる。
【００１３】
一方、粘着面を露出させた状態で前記掃除ローラの外周面に円筒状に巻き付けられた粘着シートを前記掃除ローラに着脱可能に固定する係止手段を設けることが望ましい。このような構成とすれば、掃除ローラの外周面に円筒状に巻き付けられた粘着シートを安定保持することができるため、掃除中に粘着シートが捲れたり、外れたりするのを防止することができる。
【発明の効果】
【００１４】
本発明により、使用済み粘着シートの廃棄の際に手を汚すことがなく、常に清潔な状態で保管することができる掃除具を提供することができる。
【発明を実施するための最良の形態】
【００１５】
以下、図面に基づいて、本発明の実施の形態について説明する。図１は本発明の実施の形態である掃除具を示す正面図、図２は図１におけるＡ−Ａ線断面図、図３は図２における矢線Ｂ方向から見た一部省略図、図４は図１におけるＣ−Ｃ線断面図、図５は図１におけるＤ−Ｄ線断面図、図６は図１におけるＥ−Ｅ線断面図である。
【００１６】
図１，図２に示すように、本実施形態の掃除具１０は、把持部１１を有する保持部材１２の支軸１６に回転自在に軸支された掃除ローラ１３と、粘着面１４ａを露出させた状態で掃除ローラ１３の外周面に円筒状に巻き付けられた粘着シート１４と、を備え、掃除ローラ１３にその外径を縮径・復元可能な拡縮機構１５が設けられている。
【００１７】
未使用の粘着シート１４が掃除ローラ１３へ供給可能な状態で収納された粘着シート予備手段として、粘着シート１４が巻回された円筒状の予備ローラ１７が保持部材１２の支軸１８に回転自在に軸支されている。支軸１６，１８は互いに平行をなすように配置されているため、掃除ローラ１３と予備ローラ１７とは平行をなしている。また、予備ローラ１７と掃除ローラ１３との間には、予備ローラ１７から掃除ローラ１３へ供給される粘着シート１４を誘導するためのガイド部材１９が設けられている。ガイド部材１９は、粘着シート１４が通過可能な隙間を隔てて互いに平行に配置された平板状の表面パネル４４及び底面パネルと２９と、その両側に形成されたガイド部２８と、を備えている。ガイド部材１９の先端側には、ガイド部材１９上の粘着シート１４を切断するための切断手段２４が設けられている。
【００１８】
切断手段２４の背面側には、粘着シート１４を掃除ローラ１３に向かってスライド移動させるための手動式回転体２０が設けられ、この手動式回転体２０を回転自在に支持する支持部材２１の背面側に起伏可能に軸支されたアーム２２の先端に押圧ローラ２３が回転自在に軸支されている。アーム２２を起伏させることにより、押圧ローラ２３の外周面が掃除ローラ１３の外周面に接触、離間する。
【００１９】
新たな粘着シート１４を掃除ローラ１３の外周面に巻き付ける場合、予めアーム２２を倒伏させ、押圧ローラ２３の外周面を掃除ローラ１３の外周面に接触させておけば、予備ローラ１７からガイド部材１９を通過して供給される新たな粘着シート１４を掃除ローラ１３の外周面に確実に密着させることができる。
【００２０】
図２〜図４及び図６に示すように、切断手段４３は、ガイド部材１９の先端側に、支軸１６と平行をなすように連設された２本のガイドレール２４と、ガードレール２４の間に設けられたガイドスリット２４ｇ（図１参照）に沿ってスライド可能に係止された操作部２６と、操作部２６下方に回転自在に軸支された回転刃２７と、を備えている。回転刃２７の外周は、ガイドスリット２４ｇ直下の底面パネル２９上に形成されたガイド溝２５に沿って回転しながら移動可能である。
【００２１】
図４に示すように、手指などで操作部２６をガイドレール２５の長手方向に沿ってスライド移動させれば、回転刃２７がガイド溝２５ａに沿って回転移動するので、回転刃２７の外周とガイド溝２５ａとの間に挟まれた部分に沿って粘着シート１４が切断される。なお、切断手段４３を構成する回転刃２７はこれに限定しないので、先端が鋭利な固定刃を使用することもできる。
【００２２】
前述したように、図５に示すガイド部材１９は、平板状の表面パネル４４及び底面パネルと２９と、その両側に形成されたガイド部２８と、を備え、表面パネル４４及び底面パネル２９の側部とガイド部２８との連接部分は断面コ字状をなしている。ガイド部材１９は、その左右のガイド部２９からそれぞれ延設された支軸４５によって保持部材１２（図１参照）に取り付けられている。予備ローラ１７から繰り出された粘着シート１４は、本体部２９の上面と左右のガイド部２８との間に保持された状態でスライドすることにより、掃除ローラ１３の外周面の所定領域へ正確に供給される。
【００２３】
次に、図７〜図１０に基づいて、掃除ローラ１３の外径を縮径・復元する拡縮機構１５について説明する。図７は図２におけるＦ−Ｆ線断面図、図８は図７に示す掃除ローラが縮径状態にあるときの断面図、図９は図７におけるＧ−Ｇ線断面図、図１０は図８におけるＨ−Ｈ線断面図である。
【００２４】
図７に示すように、掃除ローラ１３はその軸心に配置された円管状の支持管３０を支軸１６の外周に回転自在に装着することにより、支軸１６に回転自在に支持されている。掃除ローラ１３の外周面は軸心周りに４等分された４つの周壁部材３１ａ，３１ｂ，３１ｃ，３１ｄによって形成され、粘着面を露出させた状態で掃除ローラ１３の外周面に円筒状に巻き付けられた粘着シート１４を当該掃除ローラ１３に着脱可能に固定する係止手段３２が、一つの周壁部材３１ａの両端に設けられている。
【００２５】
係止手段３２は、周壁部材３１ａの両端に形成された凹部３３と、凹部３３の支持管３０寄り部分の支持部材４２に回転可能に軸支された係止部材３４と、で構成されている。係止部材３４には、凹部３３に係脱可能な略Ｌ字状のフック部３４ａが設けられている。図７に示すように、粘着シート１４両端の一部を凹部３３とフック部３４ａとの間に挟持することにより、粘着シート１４が掃除ローラ１３外周面に着脱可能に固定される。
【００２６】
支持管３０外周の両端寄りの部分には、略円筒状の可動ハブ３５が支持管３０の長手方向にスライド可能に取り付けられ、４つの周壁部材３１ａ，３１ｂ，３１ｃ，３１ｄの内周と可動ハブ３５の外周とがそれぞれ屈伸可能なリンク部材３６で接続されている。左右の可動ハブ３５より支持管３０の長手方向の中心寄りの部分にそれぞれ略ドラム状の固定ハブ３７が取り付けられ、固定ハブ３７の外周壁を貫通して掃除ローラ１３の半径方向に沿って一定距離だけ出し入れ可能に設けられた４つの支持部材３８の先端がそれぞれ周壁部材３１ａ，３１ｂ，３１ｃ，３１ｄの内周に固定されている。
【００２７】
可動ハブ３５と固定ハブ３７との間には、可動ハブ３５を固定ハブ３７に向かって付勢するスプリング３９が配置され、係止部材３４の回転部分と可動ハブ３５とが紐状体４０で繋がれている。また、掃除ローラ１３が支軸１６長手方向に移動するのを防止するため、支持管３０の両端付近の支軸１６には、それぞれストッパ４１ａ，４１ｂが設けられている。ストッパ４１ｂは支軸１６に着脱可能である。
【００２８】
図７，図９に示すように、通常時は、掃除ローラ１３の外周面に巻き付けられた粘着シート１４両端の一部が係止手段３２によって固定されているため、図１に示す把持部１１を手で握って掃除ローラ１３外周の粘着シート１４面をカーペット表面などに押し当てた状態で転がせば、カーペット表面の塵埃や毛髪などが粘着シート１４表面に付着する。これにより、従来の粘着ローラ式掃除具と同様、カーペット表面の塵埃や毛髪などを除去することができる。
【００２９】
粘着シート１４の粘着面１４が汚れて粘着力が低下したら、図８に示すように、左右の係止部材３４を回転させフック部３４ａが凹部３３から離脱させると、左右の可動ハブ３７がそれぞれスプリング３９の付勢力により固定ハブ３７に向かってスライド移動し、リンク部材３６が屈曲するとともに、支持部材３８の基端が固定ハブ３７内へ入るので、４つの周壁部材３１ａ，３１ｂ，３１ｃ，３１ｄは支持管３０に向かって移動する。これにより、図１０に示すように掃除ローラ１３の外径は縮径し、円筒状に巻き付けられていた粘着シート１４内周と掃除ローラ１３外周との間に隙間Ｓが生じる。
【００３０】
この後、掃除ローラ１３のストッパ４１ｂ側の端部を下に向ければ、汚れた粘着シート１４は自重により掃除ローラ１３から軸心方向に沿って容易に落下する。従って、汚れた粘着シート１４に手を触れることなく掃除ローラ１３から離脱させることができ、使用済み粘着シート１４の廃棄の際に手を汚すことがない。また、汚れた粘着シート１４は、その都度、廃棄することができるため、常に清潔な状態で掃除具１０を保管することができる。
【００３１】
汚れた粘着シート１４の廃棄が終わったら、図１，図２に示すように、手動式回転体２０を回転させ、ガイド部材１９の切断手段４３側から突出させた新たな粘着シート１４の先端を引き出して掃除ローラ１３の外周に巻き付けた後、左右の係止部材３４を回転させフック部３４ａを凹部３３に係合させると、紐状体４０によって左右の可動ハブ３５がそれぞれ支持管３０の端部へ移動し、リンク部材３６が伸展して４つの周壁部材３１ａ，３１ｂ，３１ｃ，３１ｄが支持管３０から遠ざかるので、掃除ローラ１３の外径は元のサイズに復元する。
【００３２】
この後、切断手段４３の操作部２６をガイドレール２４に沿ってスライド移動させると、前述した回転刃２７とガイド溝２５との相互作用により、粘着シート１４が切断されるので、その切断部分を、既に掃除ローラ１３に巻き付けられている粘着シート１４の粘着面１４ａに貼着すれば、新たな粘着シート１４の装着が完了する。
【００３３】
このように、掃除具１０においては、粘着シート予備手段として、未使用の粘着シート１４が巻回された円筒状の予備ローラ１７が設けられ、予備ローラ１７から供給される新たな粘着シート１４を連続的に掃除ローラ１３に巻き付けることができるため、粘着シート１４の取り替え作業が容易である。
【００３４】
また、予備ローラ１７から掃除ローラ１３へ供給される粘着シート１４を切断する切断手段４３を設けたことにより、新たな粘着シート１４を任意の位置で切断することができるため、取り替え作業を効率化することができる。
【００３５】
一方、粘着面１４ａを露出させた状態で掃除ローラ１３の外周面に円筒状に巻き付けられた粘着シート１４は係止手段３２によって着脱可能に固定されているため、粘着シート１４を安定保持することができ、掃除中に粘着シート１４が捲れたり、外れたりするのを防止することができる。なお、本実施形態では掃除ローラ１３の外周面を４つの周壁部材３１ａ，３１ｂ，３１ｃ，３１ｄによって形成しているが、これに限定しないので、２つ、３つ若しくは５つ以上の周壁部材で形成することもできる。
【００３６】
次に、図１１に基づいて、掃除ローラに関するその他の実施の形態について説明する。図１１は掃除ローラに関するその他の実施の形態を示す断面図である。なお、図１１中において図７，図８中の符号と同じ符号を付している部分は、掃除ローラ１３の構成部分と同じ構造、機能を有する部分であり、説明を省略する。
【００３７】
前述した図７に示す掃除ローラ１３の場合、係止部材３４は周壁部材３１ａの両端に設けられた支持部材４２に回転可能に軸支されているが、図１１に示す掃除ローラ５３においては、支持管３の両端付近に立設されたブラケット状の支持部材５４に回転可能に軸支されている。その他の部分の構造、機能は図７に示す掃除ローラ１３と同様である。
【００３８】
なお、図７に示す掃除ローラ１３及び図１０に示す掃除ローラ５３においては、支持管３０の長手方向に沿って二つの固定ハブ３７を設けているが、この構造に限定するものではないので、例えば、支持管３０の掃除ローラ１３，５３の長手方向の中心付近に一つの固定ハブ３７を設けた構造にすることもできる。
【産業上の利用可能性】
【００３９】
本発明の掃除具は、絨毯、カーペットあるいはソファーなどの掃除道具として広く利用することができる。
【図面の簡単な説明】
【００４０】
【図１】本発明の実施の形態である掃除具を示す正面図である。
【図２】図１におけるＡ−Ａ線断面図である。
【図３】図２における矢線Ｂ方向から見た一部省略図である。
【図４】図１におけるＣ−Ｃ線断面図である。
【図５】図１におけるＤ−Ｄ線断面図である。
【図６】図１におけるＥ−Ｅ線断面図である。
【図７】図２におけるＦ−Ｆ線断面図である。
【図８】図７に示す掃除ローラが縮径状態にあるときの断面図である。
【図９】図７におけるＧ−Ｇ線断面図である。
【図１０】図８におけるＨ−Ｈ線断面図である。
【図１１】掃除ローラに関するその他の実施の形態を示す断面図である。
【符号の説明】
【００４１】
１０  掃除具
１１  把持部
１２  保持部材
１３，５３  掃除ローラ
１４  粘着シート
１４ａ  粘着面
１５  拡縮機構
１６，１８  支軸
１７  予備ローラ
１９  ガイド部材
２０  手動式回転体
２１，３８，４２，５４  支持部材
２２  アーム
２３  押圧ローラ
２４  ガイドレール
２４ｇ  ガイドスリット
２５  ガイド溝
２６  操作部
２７  回転刃
２８  ガイド部
２９  底面パネル
３０  支持管
３１ａ，３１ｂ，３１ｃ，３１ｄ  周壁部材
３２  係止手段
３３  凹部
３４  係止部材
３５  可動ハブ
３６  リンク部材
３７  固定ハブ
３９  スプリング
４０  紐状体
４１ａ，４１ｂ  ストッパ
４３  切断手段
４４  表面パネル
４５  支軸
Ｓ  隙間
【図１】
2010201032.tif 000003
【図２】
2010201032.tif 000004
【図３】
2010201032.tif 000005
【図４】
2010201032.tif 000006
【図５】
2010201032.tif 000007
【図６】
2010201032.tif 000008
【図７】
2010201032.tif 000009
【図８】
2010201032.tif 000010
【図９】
2010201032.tif 000011
【図１０】
2010201032.tif 000012
【図１１】
2010201032.tif 000013